(57)【要約】【課題】各々異なるアーキテクチャをサポートする複数の端末装置が存在する場合にデュアル・コネクティビティを行うことに寄与すること。【解決手段】基地局装置を経由して通信装置との間で通信リンクを確立する端末装置であり、通信リンクを一方の基地局装置に残したまま他の通信リンクを他の基地局装置を経由して端末装置との間で確立する複数のアーキテクチャのうち自端末装置がサポートするアーキテクチャを示すサポートアーキテクチャ情報を基地局装置へ送信する無線通信部を備え、無線通信部は自端末装置の複数のアーキテクチャの使用可能情報を基地局装置へ送信することができ、サポートアーキテクチャ情報又はアーキテクチャの使用可能情報は自端末装置から送信される端末能力の情報又は無線通信システムの機能に対する端末装置の対応状況を表す情報に追加して送信される。【選択図】図２
2018033186.tif 000002
【特許請求の範囲】
【請求項１】
基地局装置を経由して通信装置との間で通信リンクを確立する端末装置であり、
通信リンクを一方の基地局装置に残したまま、他の通信リンクを他の基地局装置を経由して前記端末装置との間で確立する複数のアーキテクチャのうち、自端末装置がサポートするアーキテクチャを示すサポートアーキテクチャ情報を、基地局装置へ送信する無線通信部、を備え、
前記無線通信部は、自端末装置の複数の前記アーキテクチャの使用可能情報を基地局装置へ送信することができ、
前記サポートアーキテクチャ情報又は前記アーキテクチャの使用可能情報は、自端末装置から送信される端末能力の情報、又は、無線通信システムの機能に対する端末装置の対応状況を表す情報、に追加して送信される、
ことを特徴とする端末装置。
【請求項２】
前記サポートアーキテクチャ情報又は前記アーキテクチャの使用可能情報は、基地局装置からの問い合わせに応じて自端末装置から送信される端末能力の情報、又は、無線通信システムの機能に対する端末装置の対応状況を表す情報、に追加して送信される、
ことを特徴とする請求項１に記載の端末装置。
【請求項３】
自端末装置がサポートするアーキテクチャは、ＬＴＥシステム以外の他の無線通信システムである、
ことを特徴とする請求項１又は２のいずれか１項に記載の端末装置。
【請求項４】
自端末装置がサポートする複数のアーキテクチャは、ＬＴＥシステム及びＬＴＥシステム以外の他の無線通信システムである、
ことを特徴とする請求項１又は２のいずれか１項に記載の端末装置。
【請求項５】
通信装置と端末装置との間で確立される通信リンクを中継する基地局装置であり、
通信リンクを一方の基地局装置に残したまま、他の通信リンクを他の基地局装置を経由して前記端末装置との間で確立する複数のアーキテクチャのうち、前記端末装置がサポートするアーキテクチャを示すサポートアーキテクチャ情報を前記端末装置から受信する無線通信部と、
前記端末装置から受信したサポートアーキテクチャ情報と、自基地局装置のサポートするアーキテクチャを示すサポートアーキテクチャ情報とに基づいて使用可能なアーキテクチャを決定する制御部と、を備え、
前記無線通信部は、前記端末装置の複数の前記アーキテクチャの使用可能情報を前記端末装置から受信し、
前記制御部は、前記端末装置から受信したサポートアーキテクチャ情報及び前記アーキテクチャの使用可能情報と、自基地局装置のサポートするアーキテクチャを示すサポートアーキテクチャ情報とに基づいて使用可能なアーキテクチャを決定し、
前記サポートアーキテクチャ情報又は前記アーキテクチャの使用可能情報は、前記端末装置から送信される端末能力の情報、又は、無線通信システムの機能に対する端末装置の対応状況を表す情報、に追加して送信される、
ことを特徴とする基地局装置。
【請求項６】
基地局装置を経由して通信装置との間で通信リンクを確立する端末装置の使用アーキテクチャ決定方法であり、
前記端末装置が、通信リンクを一方の基地局装置に残したまま、他の通信リンクを他の基地局装置を経由して前記端末装置との間で確立する複数のアーキテクチャのうち、自端末装置がサポートするアーキテクチャを示すサポートアーキテクチャ情報を、基地局装置へ送信するステップと、
前記端末装置が、自端末装置の複数の前記アーキテクチャの使用可能情報を基地局装置へ送信するステップと、
基地局装置が、前記端末装置から受信したサポートアーキテクチャ情報及び前記アーキテクチャの使用可能情報と、自基地局装置のサポートするアーキテクチャを示すサポートアーキテクチャ情報とに基づいて使用可能なアーキテクチャを決定するステップと、を含み、
前記サポートアーキテクチャ情報又は前記アーキテクチャの使用可能情報は、前記端末装置から送信される端末能力の情報、又は、無線通信システムの機能に対する端末装置の対応状況を表す情報、に追加して送信される、
ことを特徴とする使用アーキテクチャ決定方法。
【請求項７】
基地局装置を経由して通信装置との間で通信リンクを確立する端末装置のコンピュータに、
通信リンクを一方の基地局装置に残したまま、他の通信リンクを他の基地局装置を経由して前記端末装置との間で確立する複数のアーキテクチャのうち、自端末装置がサポートするアーキテクチャを示すサポートアーキテクチャ情報を、基地局装置へ送信するステップと、
自端末装置の複数の前記アーキテクチャの使用可能情報を基地局装置へ送信するステップと、を実行させるためのコンピュータプログラムであり、
前記サポートアーキテクチャ情報又は前記アーキテクチャの使用可能情報は、自端末装置から送信される端末能力の情報、又は、無線通信システムの機能に対する端末装置の対応状況を表す情報、に追加して送信される、
ことを特徴とするコンピュータプログラム。
【発明の詳細な説明】
【技術分野】
【０００１】
本発明は、端末装置、基地局装置、使用アーキテクチャ決定方法、及びコンピュータプログラムに関する。
【背景技術】
【０００２】
標準化団体「３ＧＰＰ（3rd Generation Partnership Project）」により標準化が行われたＬＴＥ（Long Term Evolution）と呼ばれるセルラネットワークシステム（以下、ＬＴＥシステムと称する）が知られている。図１０は、ＬＴＥシステムの一構成例を示す概念図である。図１０において、基地局装置（E-UTRAN NodeB）ｅＮＢ＿ｍは、それぞれセルＣｅｌｌ＿ｍを提供する。隣り合う各セルＣｅｌｌ＿ｍは部分的に重複して配置されている。各基地局装置ｅＮＢ＿ｍは、サービング・ゲートウェイ（Serving Gateway）と呼ばれる通信装置Ｓ−ＧＷに接続されている。端末装置（user equipment）ＵＥは、一つの基地局装置ｅＮＢ＿ｍに接続する。通信装置Ｓ−ＧＷは、基地局装置ｅＮＢ＿ｍを経由して、端末装置ＵＥとの間で通信リンクを確立する。通信装置Ｓ−ＧＷが基地局装置ｅＮＢ＿ｍを経由して端末装置ＵＥとの間で確立する通信リンクのことを、ここではベアラと呼ぶ。通信装置Ｓ−ＧＷは、端末装置ＵＥが接続先の基地局装置ｅＮＢ＿ｍを変更する際のアンカーポイント（通信経路の切り替えを実行するポイント）となる。端末装置ＵＥが接続先の基地局装置ｅＮＢ＿ｍを変更することは、ハンドオーバ（hand over）又はハンドオフ（hand off）と呼ばれる。
【０００３】
図１１は、ＬＴＥシステムの他の構成例を示す概念図である。図１１においては、図１０のＬＴＥシステムに対して、さらに基地局装置ｅＮＢ＿ｓが設けられている。各基地局装置ｅＮＢ＿ｓは、通信装置Ｓ−ＧＷに接続されている。各基地局装置ｅＮＢ＿ｓは、それぞれセルＣｅｌｌ＿ｓを提供する。セルＣｅｌｌ＿ｓは、セルＣｅｌｌ＿ｍよりも、カバレッジ（coverage）が狭い。セルＣｅｌｌ＿ｓは、セルＣｅｌｌ＿ｍに対して重複して配置されている。図１１のＬＴＥシステムは、今後、高い周波数帯の利用や多くの端末装置ＵＥを収容する必要性などから、導入が検討されている。以下、基地局装置ｅＮＢ＿ｍと基地局装置ｅＮＢ＿ｓを特に区別しないときは「基地局装置ｅＮＢ」と称する。
【０００４】
また、３ＧＰＰでは、通信装置Ｓ−ＧＷが基地局装置ｅＮＢを経由して端末装置ＵＥとの間でベアラを確立する際に、一部のベアラをある基地局装置ｅＮＢに残したまま、他のベアラを他の基地局装置ｅＮＢ経由で端末装置ＵＥとの間で確立するアーキテクチャが検討されている（例えば、非特許文献１参照）。図１２、図１３は、そのアーキテクチャの例を示す概念図である。
【０００５】
［アーキテクチャ１Ａ（図１２参照）］
図１２には、「１Ａ」と呼ばれるアーキテクチャが示される。アーキテクチャ１Ａは、通信装置Ｓ−ＧＷと端末装置ＵＥの間に、異なる基地局装置ｅＮＢを経由してそれぞれベアラを確立する構成である。図１２において、通信装置Ｓ−ＧＷと端末装置ＵＥの間には、基地局装置ｅＮＢ（ａ）を経由してベアラＢｒ１が確立される。また、通信装置Ｓ−ＧＷと端末装置ＵＥの間には、基地局装置ｅＮＢ（ｂ）を経由してベアラＢｒ２が確立される。このアーキテクチャ１Ａでは、ベアラ単位で見てみると、通信装置Ｓ−ＧＷと基地局装置ｅＮＢの間、また基地局装置ｅＮＢと端末装置ＵＥの間は、通常の通信経路とみなすことができ、単にベアラ毎に異なった通信経路で、通信装置Ｓ−ＧＷと端末装置ＵＥが通信するものである。
【０００６】
［アーキテクチャ３Ｃ（図１３参照）］
図１３には、「３Ｃ」と呼ばれるアーキテクチャが示される。アーキテクチャ３Ｃは、通信装置Ｓ−ＧＷと基地局装置ｅＮＢの間の通信経路は一つであり、該基地局装置ｅＮＢと端末装置ＵＥの間では、該基地局装置ｅＮＢを経由するベアラのうち一部のベアラが該基地局装置ｅＮＢで複数に分割され、分割された一部のベアラが他の基地局装置ｅＮＢを経由して端末装置ＵＥに至る構成である。図１３において、通信装置Ｓ−ＧＷと端末装置ＵＥの間には、基地局装置ｅＮＢ（ａ）を経由するベアラＢｒ３が確立されている。このベアラＢｒ３は分割されていない。また、通信装置Ｓ−ＧＷと端末装置ＵＥの間には、基地局装置ｅＮＢ（ａ）を経由するベアラＢｒ４が確立されている。このベアラＢｒ４は、基地局装置ｅＮＢ（ａ）でベアラＢｒ４（ａ），（ｂ）に分割される。ベアラＢｒ４（ａ）は基地局装置ｅＮＢ（ａ）からそのまま端末装置ＵＥへ至る。一方、ベアラＢｒ４（ｂ）は基地局装置ｅＮＢ（ａ）から基地局装置ｅＮＢ（ｂ）を経由して端末装置ＵＥへ至る。基地局装置ｅＮＢ（ａ），（ｂ）間のトラヒックの転送は、Ｘ２回線と呼ばれる論理回線を使用して行われる。
【０００７】
上述したアーキテクチャ１Ａ，３Ｃのように、端末装置ＵＥが複数の基地局装置ｅＮＢを経由して通信装置Ｓ−ＧＷとの間でベアラを確立することを、デュアル・コネクティビティ（Dual connectivity）と呼ぶ。また、デュアル・コネクティビティを行っている状態において、制御情報を運ぶベアラを残す基地局装置ｅＮＢのことをマスター基地局装置（ＭｅＮＢ（Master E-UTRAN NodeB））と呼び、一部のベアラを移す先の基地局装置ｅＮＢのことをセカンダリ基地局装置（ＳｅＮＢ（Secondary E-UTRAN NodeB））と呼ぶ。
【先行技術文献】
【非特許文献】
【０００８】
【非特許文献１】3GPP、TR 36.842、“Study on Small Cell enhancements for E-UTRA and E-UTRAN; Higher layer aspects”、 V12.0.0、2013-12
【発明の概要】
【発明が解決しようとする課題】
【０００９】
上述したアーキテクチャ１Ａ，３Ｃによれば、例えば制御情報を運ぶベアラなど、一部のベアラをある基地局装置ｅＮＢに残したまま、他のベアラを他の基地局装置ｅＮＢを経由して端末装置ＵＥとの間で確立することができる。例えば、図１１に示されるように、カバレッジが狭い基地局装置ｅＮＢ＿ｓを多数配置した場合、端末装置ＵＥの移動によって発生するハンドオーバの回数が増大し、その結果、ＬＴＥシステム内を流れる制御情報の量が増大し、端末装置ＵＥによるデータトラヒックのやり取りを圧迫することが懸念される。この対処の一つとして、アーキテクチャ１Ａ，３Ｃが考えられる。
【００１０】
しかし、従来のＬＴＥシステムでは、同一システム内でアーキテクチャ１Ａ，３Ｃの両方を併用することが考慮されていない。例えば、各端末装置ＵＥによって、サポートする（使用可能である）アーキテクチャが異なる場合において、デュアル・コネクティビティを実施しようとするときには、基地局装置ｅＮＢは自己に接続する端末装置ＵＥのサポートするアーキテクチャを知る必要がある。しかしながら、従来のＬＴＥシステムでは、基地局装置ｅＮＢが、自己に接続する端末装置ＵＥのサポートするアーキテクチャを知ることができない。
【００１１】
また、アーキテクチャ３Ｃでは、基地局装置ｅＮＢで分割されるベアラは、複数の基地局装置ｅＮＢと端末装置ＵＥとの間の無線リソースを使用することが可能であるため、ベアラ単位でのピークスループットを向上できる。一方、ある基地局装置ｅＮＢに届いたベアラのトラヒックの一部が、他の基地局装置ｅＮＢを経由して端末装置ＵＥに届くことから、一般的には、通信装置Ｓ−ＧＷと端末装置ＵＥとの間の遅延時間が増えることが考えられる。このような各アーキテクチャの特性に応じて、アーキテクチャの使い分けを行うことが課題として挙げられる。
【００１２】
本発明は、このような事情を考慮してなされたものであり、各々異なるアーキテクチャをサポートする複数の端末装置が存在する場合にデュアル・コネクティビティを行うことに寄与できる端末装置、基地局装置、使用アーキテクチャ決定方法、及びコンピュータプログラムを提供することを課題とする。
【課題を解決するための手段】
【００１３】
（１）本発明に係る端末装置は、基地局装置を経由して通信装置との間で通信リンクを確立する端末装置であり、通信リンクを一方の基地局装置に残したまま、他の通信リンクを他の基地局装置を経由して前記端末装置との間で確立する複数のアーキテクチャのうち、自端末装置がサポートするアーキテクチャを示すサポートアーキテクチャ情報を、基地局装置へ送信する無線通信部、を備え、前記無線通信部は、自端末装置の複数の前記アーキテクチャの使用可能情報を基地局装置へ送信することができ、前記サポートアーキテクチャ情報又は前記アーキテクチャの使用可能情報は、自端末装置から送信される端末能力の情報、又は、無線通信システムの機能に対する端末装置の対応状況を表す情報、に追加して送信される、ことを特徴とする。
（２）本発明に係る端末装置は、上記（１）の端末装置において、前記サポートアーキテクチャ情報又は前記アーキテクチャの使用可能情報は、基地局装置からの問い合わせに応じて自端末装置から送信される端末能力の情報、又は、無線通信システムの機能に対する端末装置の対応状況を表す情報、に追加して送信される、ことを特徴とする。
（３）本発明に係る端末装置は、上記（１）又は（２）のいずれかの端末装置において、自端末装置がサポートするアーキテクチャは、ＬＴＥシステム以外の他の無線通信システムである、ことを特徴とする。
（４）本発明に係る端末装置は、上記（１）又は（２）のいずれかの端末装置において、自端末装置がサポートする複数のアーキテクチャは、ＬＴＥシステム及びＬＴＥシステム以外の他の無線通信システムである、ことを特徴とする。
【００１４】
（５）本発明に係る基地局装置は、通信装置と端末装置との間で確立される通信リンクを中継する基地局装置であり、通信リンクを一方の基地局装置に残したまま、他の通信リンクを他の基地局装置を経由して前記端末装置との間で確立する複数のアーキテクチャのうち、前記端末装置がサポートするアーキテクチャを示すサポートアーキテクチャ情報を前記端末装置から受信する無線通信部と、前記端末装置から受信したサポートアーキテクチャ情報と、自基地局装置のサポートするアーキテクチャを示すサポートアーキテクチャ情報とに基づいて使用可能なアーキテクチャを決定する制御部と、を備え、前記無線通信部は、前記端末装置の複数の前記アーキテクチャの使用可能情報を前記端末装置から受信し、前記制御部は、前記端末装置から受信したサポートアーキテクチャ情報及び前記アーキテクチャの使用可能情報と、自基地局装置のサポートするアーキテクチャを示すサポートアーキテクチャ情報とに基づいて使用可能なアーキテクチャを決定し、前記サポートアーキテクチャ情報又は前記アーキテクチャの使用可能情報は、前記端末装置から送信される端末能力の情報、又は、無線通信システムの機能に対する端末装置の対応状況を表す情報、に追加して送信される、ことを特徴とする。
【００１５】
（６）本発明に係る使用アーキテクチャ決定方法は、基地局装置を経由して通信装置との間で通信リンクを確立する端末装置の使用アーキテクチャ決定方法であり、前記端末装置が、通信リンクを一方の基地局装置に残したまま、他の通信リンクを他の基地局装置を経由して前記端末装置との間で確立する複数のアーキテクチャのうち、自端末装置がサポートするアーキテクチャを示すサポートアーキテクチャ情報を、基地局装置へ送信するステップと、前記端末装置が、自端末装置の複数の前記アーキテクチャの使用可能情報を基地局装置へ送信するステップと、基地局装置が、前記端末装置から受信したサポートアーキテクチャ情報及び前記アーキテクチャの使用可能情報と、自基地局装置のサポートするアーキテクチャを示すサポートアーキテクチャ情報とに基づいて使用可能なアーキテクチャを決定するステップと、を含み、前記サポートアーキテクチャ情報又は前記アーキテクチャの使用可能情報は、前記端末装置から送信される端末能力の情報、又は、無線通信システムの機能に対する端末装置の対応状況を表す情報、に追加して送信される、ことを特徴とする。
【００１６】
（７）本発明に係るコンピュータプログラムは、基地局装置を経由して通信装置との間で通信リンクを確立する端末装置のコンピュータに、通信リンクを一方の基地局装置に残したまま、他の通信リンクを他の基地局装置を経由して前記端末装置との間で確立する複数のアーキテクチャのうち、自端末装置がサポートするアーキテクチャを示すサポートアーキテクチャ情報を、基地局装置へ送信するステップと、自端末装置の複数の前記アーキテクチャの使用可能情報を基地局装置へ送信するステップと、を実行させるためのコンピュータプログラムであり、前記サポートアーキテクチャ情報又は前記アーキテクチャの使用可能情報は、自端末装置から送信される端末能力の情報、又は、無線通信システムの機能に対する端末装置の対応状況を表す情報、に追加して送信される、ことを特徴とする。
【発明の効果】
【００１７】
本発明によれば、各々異なるアーキテクチャをサポートする複数の端末装置が存在する場合にデュアル・コネクティビティを行うことに寄与できるという効果が得られる。
【図面の簡単な説明】
【００１８】
【図１】本発明の一実施形態に係る基地局装置ｅＮＢの構成を示すブロック図である。
【図２】本発明の一実施形態に係る端末装置ＵＥの構成を示すブロック図である。
【図３】本発明の第１実施形態に係るアーキテクチャ情報取得方法の手順を示すシーケンスチャートである。
【図４】本発明の第２実施形態に係るアーキテクチャ情報取得方法の手順を示すシーケンスチャートである。
【図５】本発明の第２実施形態に係る使用アーキテクチャ決定方法の手順を示すフローチャートである。
【図６】本発明の第２実施形態に係る使用アーキテクチャ決定方法の手順を示すフローチャートである。
【図７】本発明の第２実施形態に係る使用アーキテクチャ決定方法の手順を示すフローチャートである。
【図８】本発明の第３実施形態に係る使用アーキテクチャ決定方法の手順を示すフローチャートである。
【図９】本発明の第３実施形態に係る使用アーキテクチャ決定方法の手順を示すフローチャートである。
【図１０】ＬＴＥシステムの一構成例を示す概念図である。
【図１１】ＬＴＥシステムの他の構成例を示す概念図である。
【図１２】アーキテクチャ１Ａを示す概念図である。
【図１３】アーキテクチャ３Ｃを示す概念図である。
【発明を実施するための形態】
【００１９】
以下、図面を参照し、本発明の実施形態について説明する。本実施形態では、無線通信システムの一例として、ＬＴＥシステムを挙げて説明する。
【００２０】
［第１実施形態］
はじめに本発明に係る一実施形態として第１実施形態を説明する。
図１は、本発明の一実施形態に係る基地局装置ｅＮＢの構成を示すブロック図である。図１において、基地局装置ｅＮＢは、無線通信部１１、通信部１２、制御部１３及び記憶部１４を備える。無線通信部１１、通信部１２、制御部１３及び記憶部１４は相互にデータを送受できるように接続されている。無線通信部１１は端末装置ＵＥと無線通信する。通信部１２は、バックボーンネットワークを介して他の装置と通信する。通信部１２は、例えば通信装置Ｓ−ＧＷと通信する。制御部１３は基地局装置ｅＮＢに係る動作の制御を行う。記憶部１４はデータを格納する。
【００２１】
記憶部１４は、サポートアーキテクチャ情報１４１と基地局アーキテクチャ情報１４２と端末アーキテクチャ情報１４３を有する。サポートアーキテクチャ情報１４１は、自基地局装置ｅＮＢがサポートするアーキテクチャを示す。本実施形態に係るＬＴＥシステムでは、２つのアーキテクチャ１Ａ（図１２参照），３Ｃ（図１３参照）を併用する。このため、サポートアーキテクチャ情報１４１は、自基地局装置ｅＮＢが、アーキテクチャ１Ａ，３Ｃのうちどのアーキテクチャ（１Ａ若しくは３Ｃ、又は、１Ａと３Ｃの両方）をサポートするのかを示す。
【００２２】
基地局アーキテクチャ情報１４２は、他の基地局装置ｅＮＢがサポートするアーキテクチャを示す。具体的には、他の基地局装置ｅＮＢが、アーキテクチャ１Ａ，３Ｃのうちどのアーキテクチャ（１Ａ若しくは３Ｃ、又は、１Ａと３Ｃの両方）をサポートするのかを示す。
【００２３】
端末アーキテクチャ情報１４３は、端末装置ＵＥがサポートするアーキテクチャを示す。具体的には、端末装置ＵＥが、アーキテクチャ１Ａ，３Ｃのうちどのアーキテクチャ（１Ａ若しくは３Ｃ、又は、１Ａと３Ｃの両方）をサポートするのかを示す。
【００２４】
図２は、本発明の一実施形態に係る端末装置ＵＥの構成を示すブロック図である。図２において、端末装置ＵＥは、無線通信部２１、制御部２２、記憶部２３、入力部２４及び出力部２５を備える。無線通信部２１、制御部２２、記憶部２３、入力部２４及び出力部２５は相互にデータを送受できるように接続されている。無線通信部２１は、無線接続している基地局装置ｅＮＢを介して、他の装置と通信する。
【００２５】
制御部２２は端末装置ＵＥに係る動作の制御を行う。記憶部２３はデータを格納する。入力部２４はデータの入力を行う。出力部２５はデータの出力を行う。入力部２４として、例えば、キーボード、テンキー、マウス等の入力デバイス、音声を入力するマイクロホン、近距離無線通信の受信デバイスなどが挙げられる。出力部２５として、例えば、液晶表示装置等の表示デバイス、音声を出力するスピーカ、近距離無線通信の送信デバイスなどが挙げられる。また、入力デバイスと表示デバイスの両方の機能を有するタッチパネルを備えてもよい。端末装置ＵＥとして、例えば、スマートフォンやタブレット型のコンピュータ（タブレットＰＣ）等の携帯通信端末装置が挙げられる。
【００２６】
記憶部２３は、サポートアーキテクチャ情報２３１を有する。サポートアーキテクチャ情報２３１は、自端末装置ＵＥがサポートするアーキテクチャを示す。具体的には、自端末装置ＵＥが、アーキテクチャ１Ａ，３Ｃのうちどのアーキテクチャ（１Ａ若しくは３Ｃ、又は、１Ａと３Ｃの両方）をサポートするのかを示す。
【００２７】
次に図３を参照して、第１実施形態に係る動作を説明する。図３は、本発明の第１実施形態に係るアーキテクチャ情報取得方法の手順を示すシーケンスチャートである。
【００２８】
本実施形態では、端末装置の能力の問い合わせ手順を利用する。端末装置ＵＥが基地局装置ｅＮＢに接続を開始したときなどにおいて、基地局装置ｅＮＢは該端末装置ＵＥがどのような機能に対応しているのかを知り、それに応じた設定や通信指示を当該端末装置ＵＥに送信する必要がある。このため、基地局装置ｅＮＢは当該端末装置ＵＥに対して、端末装置ＵＥが対応する機能などに関する情報（端末能力の情報（user equipment capability））の問い合わせを行う。端末装置ＵＥは、基地局装置ｅＮＢからの端末能力の問い合わせを受けると、自己の端末能力を基地局装置ｅＮＢへ通知する。
【００２９】
（ステップＳ１）  基地局装置ｅＮＢの制御部１３は、無線通信部１１により、端末能力の問い合わせメッセージを端末装置ＵＥへ送信する。
【００３０】
（ステップＳ２）  端末装置ＵＥの制御部１３は、基地局装置ｅＮＢからの端末能力の問い合わせに応じて、無線通信部２１により、自端末装置ＵＥの端末能力の情報と、さらに記憶部２３に記憶されるサポートアーキテクチャ情報２３１（自端末装置ＵＥのサポートするアーキテクチャを示す情報）とを基地局装置ｅＮＢへ送信する。
【００３１】
基地局装置ｅＮＢの制御部１３は、端末能力の問い合わせに対する端末装置ＵＥからの応答により受信したサポートアーキテクチャ情報（端末装置ＵＥのサポートするアーキテクチャを示す情報）を、当該端末装置ＵＥの端末アーキテクチャ情報１４３として記憶部１４へ格納する。
【００３２】
［第２実施形態］
次に、本発明に係る一実施形態として第２実施形態を説明する。基地局装置ｅＮＢの構成は、第１実施形態に係る図１と同様である。端末装置ＵＥの構成は、第１実施形態に係る図２と同様である。
【００３３】
図４は、本発明の第２実施形態に係るアーキテクチャ情報取得方法の手順を示すシーケンスチャートである。図４を参照して、第２実施形態に係る動作を説明する。第２実施形態に係るアーキテクチャ情報取得方法では、第１実施形態と同様に、端末装置の能力問い合わせ手順を利用する。
【００３４】
（ステップＳ１１）  基地局装置ｅＮＢの制御部１３は、無線通信部１１により、端末能力の問い合わせメッセージを端末装置ＵＥへ送信する。
【００３５】
（ステップＳ１２）  端末装置ＵＥの制御部１３は、基地局装置ｅＮＢからの端末能力の問い合わせに応じて、無線通信部２１により、自端末装置ＵＥの端末能力の情報と、さらに複数アーキテクチャの同時使用可否情報とを基地局装置ｅＮＢへ送信する。複数アーキテクチャの同時使用可否情報は、記憶部２３に記憶されるサポートアーキテクチャ情報２３１に含まれている。なお、このとき、サポートアーキテクチャ情報２３１（自端末装置ＵＥのサポートするアーキテクチャを示す情報と複数アーキテクチャの同時使用可否情報）を、基地局装置ｅＮＢへ送信してもよい。
【００３６】
複数アーキテクチャの同時使用可否情報は、端末装置ＵＥが複数のアーキテクチャ（本実施形態ではアーキテクチャ１Ａと３Ｃの両方）を同時に使用できるか否かを示す。アーキテクチャ１Ａと３Ｃの両方を同時に使用できるか否かは、端末装置ＵＥのハードウェア等の仕様によって、予め、サポートアーキテクチャ情報２３１に設定される。
【００３７】
基地局装置ｅＮＢの制御部１３は、端末能力の問い合わせに対する端末装置ＵＥからの応答により受信した複数アーキテクチャの同時使用可否情報を、当該端末装置ＵＥの端末アーキテクチャ情報１４３として記憶部１４へ格納する。なお、このとき、サポートアーキテクチャ情報（自端末装置ＵＥのサポートするアーキテクチャを示す情報と複数アーキテクチャの同時使用可否情報）を端末装置ＵＥから受信した場合には、該サポートアーキテクチャ情報（端末装置ＵＥのサポートするアーキテクチャを示す情報と複数アーキテクチャの同時使用可否情報）を、当該端末装置ＵＥの端末アーキテクチャ情報１４３として記憶部１４へ格納する。
【００３８】
次に、図５、図６、図７を参照して、基地局装置ｅＮＢの制御部１３の使用アーキテクチャ決定に係る動作を説明する。図５、図６、図７は、本発明の第２実施形態に係る使用アーキテクチャ決定方法の手順を示すフローチャートである。図５、図６、図７中では自基地局装置ｅＮＢのことを基地局装置Ｘと記しており、以下の図５、図６、図７に係る説明において、自基地局装置ｅＮＢのことを基地局装置Ｘと称する。また、ターゲットの基地局装置ｅＮＢとは、基地局装置Ｘと共にデュアル・コネクティビティを行う相手の基地局装置ｅＮＢのことを指す。また、ベアラＹとは、端末装置ＵＥと通信装置Ｓ−ＧＷの間で新たに確立される、基地局装置Ｘを経由するベアラのことを指す。
【００３９】
（ステップＳ１０１）  制御部１３が、基地局装置Ｘのサポートアーキテクチャ情報１４１を記憶部１４から読み出す。
【００４０】
（ステップＳ１０２）  制御部１３が、該読み出したサポートアーキテクチャ情報１４１で示されるアーキテクチャが複数あるか否かを判断する。この判断の結果、複数ある場合にはステップＳ１０３へ進み、１つしかない場合には図７のステップＳ１１３へ進む。
【００４１】
（ステップＳ１０３）  制御部１３が、記憶部１４においてターゲットの基地局装置ｅＮＢの基地局アーキテクチャ情報１４２が示すアーキテクチャが複数あるか否かを判断する。この判断の結果、複数ある場合には図６のステップＳ１０４へ進み、１つしかない場合には図７のステップＳ１１４へ進む。
【００４２】
（ステップＳ１０４）  制御部１３が、基地局装置Ｘとターゲットの基地局装置ｅＮＢの間のＸ２回線の最大伝送レートが所定の閾値以上であるか否かを判断する。この判断の結果、閾値以上である場合にはステップＳ１０５へ進み、閾値未満である場合にはステップＳ１１１へ進む。
【００４３】
なお、基地局装置Ｘとターゲットの基地局装置ｅＮＢの間のＸ２回線の最大伝送レートを示す情報は、予め、記憶部１４に格納されている。例えば、制御部１３は、Ｘ２回線の確立後に、通信部１２の測定により、Ｘ２回線により最大でどのくらいの伝送レートでデータ伝送が可能であるのかを示すＸ２回線最大伝送レート情報を取得する。そして、制御部１３は、その取得したＸ２回線最大伝送レート情報を記憶部１４に格納する。
【００４４】
（ステップＳ１０５）  制御部１３が、記憶部１４において端末装置ＵＥの端末アーキテクチャ情報１４３が示すアーキテクチャが１つのみであるか否かを判断する。この判断の結果、１つのみである場合にはステップＳ１０６へ進み、複数ある場合にはステップＳ１０７へ進む。
【００４５】
（ステップＳ１０６）  制御部１３が、端末装置ＵＥのベアラＹに使用するアーキテクチャを、該端末装置ＵＥのサポートする唯一つのアーキテクチャとする。これは、基地局装置Ｘ及びターゲットの基地局装置ｅＮＢの両方がアーキテクチャ１Ａ，３Ｃの両方をサポートしており、且つそれら基地局装置間のＸ２回線の最大伝送レートが所定の閾値以上であり、且つ端末装置ＵＥのサポートするアーキテクチャが唯一つであるからである。
【００４６】
（ステップＳ１０７）  制御部１３が、記憶部１４において端末装置ＵＥの端末アーキテクチャ情報１４３に含まれる複数アーキテクチャの同時使用可否情報が複数アーキテクチャの同時使用可であるか否かを判断する。この判断の結果、複数アーキテクチャの同時使用可である場合にはステップＳ１０８へ進み、複数アーキテクチャの同時使用否である場合にはステップＳ１０９へ進む。
【００４７】
（ステップＳ１０８）  制御部１３が、端末装置ＵＥのベアラＹに使用するアーキテクチャを、該ベアラＹの要求するＱｏＳ（Quality of Service）に基づくアーキテクチャとする。これは、基地局装置Ｘ、ターゲットの基地局装置ｅＮＢ及び端末装置ＵＥの全てがアーキテクチャ１Ａ，３Ｃの両方をサポートしており、且つそれら基地局装置間のＸ２回線の最大伝送レートが所定の閾値以上であり、且つ、端末装置ＵＥがアーキテクチャ１Ａと３Ｃの両方を同時に使用できる又は未だ端末装置ＵＥがデュアル・コネクティビティを行っていない（後述のステップＳ１０９参照）からである。つまり、ベアラＹの要求するＱｏＳに応じて、アーキテクチャ１Ａ，３Ｃのいずれを使用してもよい。
【００４８】
例えば、ベアラＹが要求する遅延時間がある閾値未満ならば、アーキテクチャ１Ａを使用し、そうでなければアーキテクチャ３Ｃを使用することが挙げられる。また、他の例として、ベアラＹが要求する伝送速度がある閾値未満ならば、アーキテクチャ１Ａを使用し、そうでなければアーキテクチャ３Ｃを使用することが挙げられる。
【００４９】
（ステップＳ１０９）  制御部１３が、端末装置ＵＥにおいてベアラＹよりも先に既に他のベアラを確立してデュアル・コネクティビティを行っているか否かを判断する。この判断の結果、既に他のベアラを確立してデュアル・コネクティビティを行っている場合にはステップＳ１１０へ進み、そうではない場合にはステップＳ１０８へ進む。
【００５０】
（ステップＳ１１０）  制御部１３が、端末装置ＵＥのベアラＹに使用するアーキテクチャを、該端末装置ＵＥにおいて既に他のベアラに使用されているアーキテクチャとする。これは、基地局装置Ｘ、ターゲットの基地局装置ｅＮＢ及び端末装置ＵＥの全てがアーキテクチャ１Ａ，３Ｃの両方をサポートしており、且つそれら基地局装置間のＸ２回線の最大伝送レートが所定の閾値以上であり、且つ、端末装置ＵＥがアーキテクチャ１Ａと３Ｃの両方を同時には使用できず、且つ既に端末装置ＵＥがいずれかのアーキテクチャでデュアル・コネクティビティを行っているからである。
【００５１】
（ステップＳ１１１）  制御部１３が、記憶部１４において端末装置ＵＥの端末アーキテクチャ情報１４３がアーキテクチャ１Ａをサポートすることを示しているか否かを判断する。この判断の結果、端末装置ＵＥがアーキテクチャ１Ａをサポートする場合にはステップＳ１１２へ進み、端末装置ＵＥがアーキテクチャ１Ａをサポートしない場合には図７のステップＳ１１７へ進む。
【００５２】
（ステップＳ１１２）  制御部１３が、端末装置ＵＥのベアラＹに使用するアーキテクチャを、アーキテクチャ１Ａとする。これは、基地局装置Ｘ及びターゲットの基地局装置ｅＮＢの両方がアーキテクチャ１Ａ，３Ｃの両方をサポートしており、且つ、それら基地局装置間のＸ２回線の最大伝送レートが所定の閾値未満であり、且つ、端末装置ＵＥがアーキテクチャ１Ａをサポートしているからである。
【００５３】
（ステップＳ１１３）  制御部１３が、記憶部１４においてターゲットの基地局装置ｅＮＢの基地局アーキテクチャ情報１４２が示すいずれかのアーキテクチャと、ステップＳ１０１で記憶部１４から読み出したサポートアーキテクチャ情報１４１で示される唯一のアーキテクチャとが等しいか否かを判断する。この判断の結果、等しい場合にはステップＳ１１４へ進み、等しくない場合にはステップＳ１１７へ進む。
【００５４】
（ステップＳ１１４）  制御部１３が、基地局装置Ｘとターゲットの基地局装置ｅＮＢとの間で共通にサポートするアーキテクチャがアーキテクチャ１Ａであるか否かを判断する。この判断の結果、アーキテクチャ１Ａである場合にはステップＳ１１５へ進み、アーキテクチャ１Ａではない場合にはステップＳ１１８へ進む。
【００５５】
（ステップＳ１１５）  制御部１３が、記憶部１４において端末装置ＵＥの端末アーキテクチャ情報１４３がアーキテクチャ１Ａをサポートすることを示しているか否かを判断する。この判断の結果、端末装置ＵＥがアーキテクチャ１Ａをサポートする場合にはステップＳ１１６へ進み、端末装置ＵＥがアーキテクチャ１Ａをサポートしない場合にはステップＳ１１７へ進む。
【００５６】
（ステップＳ１１６）  制御部１３が、端末装置ＵＥのベアラＹに使用するアーキテクチャを、基地局装置Ｘとターゲットの基地局装置ｅＮＢとの間で共通にサポートするアーキテクチャとする。これは、基地局装置Ｘ及びターゲットの基地局装置ｅＮＢが共通にサポートするアーキテクチャが唯一つ存在し、且つそれら基地局装置間のＸ２回線の最大伝送レートが所定の閾値以上であり（後述のステップＳ１１８参照）、且つ端末装置ＵＥが基地局装置Ｘ及びターゲットの基地局装置ｅＮＢの共通にサポートするアーキテクチャをサポートする（後述のステップＳ１１９参照）からである。
【００５７】
（ステップＳ１１７）  制御部１３が、端末装置ＵＥのベアラＹに対してデュアル・コネクティビティを行わない、ことを決定する。これは、基地局装置Ｘ及びターゲットの基地局装置ｅＮＢが共通にサポートするアーキテクチャが存在しない、又は、基地局装置Ｘ及びターゲットの基地局装置ｅＮＢが共通にサポートする唯一つのアーキテクチャ３Ｃが存在するがそれら基地局装置間のＸ２回線の最大伝送レートが所定の閾値未満である（後述のステップＳ１１８参照）、又は、端末装置ＵＥが基地局装置Ｘ及びターゲットの基地局装置ｅＮＢの共通にサポートする唯一つのアーキテクチャをサポートしない（後述のステップＳ１１９参照）、からである。
【００５８】
（ステップＳ１１８）  制御部１３が、基地局装置Ｘとターゲットの基地局装置ｅＮＢの間のＸ２回線の最大伝送レートが所定の閾値以上であるか否かを判断する。この判断の結果、閾値以上である場合にはステップＳ１１９へ進み、閾値未満である場合にはステップＳ１１７へ進む。
【００５９】
（ステップＳ１１９）  制御部１３が、記憶部１４において端末装置ＵＥの端末アーキテクチャ情報１４３がアーキテクチャ３Ｃをサポートすることを示しているか否かを判断する。この判断の結果、端末装置ＵＥがアーキテクチャ３Ｃをサポートする場合にはステップＳ１１６へ進み、端末装置ＵＥがアーキテクチャ３Ｃをサポートしない場合にはステップＳ１１７へ進む。
【００６０】
［第３実施形態］
次に、本発明に係る一実施形態として第３実施形態を説明する。基地局装置ｅＮＢの構成は、第１実施形態に係る図１と同様である。端末装置ＵＥの構成は、第１実施形態に係る図２と同様である。
【００６１】
第３実施形態では、基地局装置ｅＮＢが自己のサポートするアーキテクチャ（サポートアーキテクチャ情報１４１）を端末装置ＵＥへ通知する。端末装置ＵＥは、基地局装置ｅＮＢから通知されたサポートアーキテクチャ情報を記憶部２３に格納する。そして、端末装置ＵＥが、基地局装置ｅＮＢのサポートするアーキテクチャと自己のサポートするアーキテクチャ（サポートアーキテクチャ情報２３１）とに基づいて使用可能なアーキテクチャを決定し、該決定した使用可能なアーキテクチャを基地局装置ｅＮＢへ通知する。
【００６２】
図８、図９を参照して、端末装置ＵＥの制御部２２の使用アーキテクチャ決定に係る動作を説明する。図８、図９は、本発明の第３実施形態に係る使用アーキテクチャ決定方法の手順を示すフローチャートである。図８、図９中では自端末装置ＵＥのことを端末装置Ｘと記しており、以下の図８、図９に係る説明において、自端末装置ＵＥのことを端末装置Ｘと称する。
【００６３】
（ステップＳ２０１）  制御部２２が、端末装置Ｘのサポートアーキテクチャ情報２３１を記憶部２３から読み出す。
【００６４】
（ステップＳ２０２）  制御部２２が、該読み出したサポートアーキテクチャ情報２３１で示されるアーキテクチャが複数あるか否かを判断する。この判断の結果、複数ある場合にはステップＳ２０３へ進み、１つしかない場合には図９のステップＳ２０６へ進む。
【００６５】
（ステップＳ２０３）  制御部２２が、端末装置Ｘの接続先の基地局装置ｅＮＢから通知されたサポートアーキテクチャ情報（基地局装置ｅＮＢのサポートするアーキテクチャの情報）が示すアーキテクチャが複数あるか否かを判断する。この判断の結果、複数ある場合にはステップＳ２０４へ進み、１つしかない場合にはステップＳ２０５へ進む。
【００６６】
（ステップＳ２０４）  制御部２２が、使用可能なアーキテクチャを、アーキテクチャ１Ａ，３Ｃの両方に決定する。これは、端末装置Ｘ及び端末装置Ｘの接続先の基地局装置ｅＮＢの両方がアーキテクチャ１Ａ，３Ｃの両方をサポートしているからである。制御部２２は、無線通信部２１により、端末装置Ｘの使用可能なアーキテクチャとしてアーキテクチャ１Ａ，３Ｃの両方を示す情報を、端末装置Ｘの接続先の基地局装置ｅＮＢへ送信する。
【００６７】
（ステップＳ２０５）  制御部２２が、使用可能なアーキテクチャを、アーキテクチャ１Ａ，３Ｃのうち、端末装置Ｘの接続先の基地局装置ｅＮＢのサポートする唯一つのアーキテクチャに決定する。これは、端末装置Ｘがアーキテクチャ１Ａ，３Ｃの両方をサポートしており、且つ、端末装置Ｘの接続先の基地局装置ｅＮＢがアーキテクチャ１Ａ，３Ｃのいずれか一つのみをサポートしているからである。制御部２２は、無線通信部２１により、端末装置Ｘの使用可能なアーキテクチャとして端末装置Ｘの接続先の基地局装置ｅＮＢのサポートする唯一つのアーキテクチャを示す情報を、端末装置Ｘの接続先の基地局装置ｅＮＢへ送信する。
【００６８】
（ステップＳ２０６）  制御部２２が、端末装置Ｘの接続先の基地局装置ｅＮＢから通知されたサポートアーキテクチャ情報（基地局装置ｅＮＢのサポートするアーキテクチャの情報）が示すいずれかのアーキテクチャと、ステップＳ２０１で記憶部２３から読み出したサポートアーキテクチャ情報２３１で示される唯一のアーキテクチャとが等しいか否かを判断する。この判断の結果、等しい場合にはステップＳ２０７へ進み、等しくない場合にはステップＳ２０８へ進む。
【００６９】
（ステップＳ２０７）  制御部２２が、使用可能なアーキテクチャを、アーキテクチャ１Ａ，３Ｃのうち、端末装置Ｘのサポートする唯一つのアーキテクチャに決定する。これは、端末装置Ｘがアーキテクチャ１Ａ，３Ｃのうちいずれか一つのみをサポートしており、且つ、端末装置Ｘの接続先の基地局装置ｅＮＢが端末装置Ｘのサポートする唯一つのアーキテクチャをサポートしているからである。制御部２２は、無線通信部２１により、端末装置Ｘの使用可能なアーキテクチャとして端末装置Ｘのサポートする唯一つのアーキテクチャを示す情報を、端末装置Ｘの接続先の基地局装置ｅＮＢへ送信する。
【００７０】
（ステップＳ２０８）  制御部２２が、端末装置Ｘが端末装置Ｘの接続先の基地局装置ｅＮＢとデュアル・コネクティビティを行わない、ことを決定する。これは、端末装置Ｘがアーキテクチャ１Ａ，３Ｃのうちいずれか一つのみをサポートしており、且つ、端末装置Ｘの接続先の基地局装置ｅＮＢが端末装置Ｘのサポートする唯一つのアーキテクチャをサポートしていないからである。制御部２２は、無線通信部２１により、端末装置Ｘの使用可能なアーキテクチャがないことを示す情報を、端末装置Ｘの接続先の基地局装置ｅＮＢへ送信する。
【００７１】
上述した実施形態によれば、基地局装置ｅＮＢが自己に接続する端末装置ＵＥのサポートするアーキテクチャを認識できる。これにより、各々異なるアーキテクチャをサポートする複数の端末装置ＵＥが存在する場合にデュアル・コネクティビティを行うことに寄与できるという効果が得られる。
【００７２】
また、上述した第２実施形態によれば、各アーキテクチャの特性に応じて、アーキテクチャの使い分けを行うことができる。
【００７３】
以上、本発明の実施形態について図面を参照して詳述してきたが、具体的な構成はこの実施形態に限られるものではなく、本発明の要旨を逸脱しない範囲の設計変更等も含まれる。
【００７４】
例えば、上述した第２実施形態では、Ｘ２回線の通信品質を表す情報として伝送レートを使用したが、Ｘ２回線の通信品質を表す情報として他の情報を使用してもよい。Ｘ２回線の通信品質を表す情報として、例えば、Ｘ２回線の遅延時間が挙げられる。また、Ｘ２回線の通信品質を表す情報として、例えば、Ｘ２回線の通信能力を表す情報が挙げられる。
【００７５】
また、上述した第２実施形態では、Ｘ２回線の最大通信品質を使用したが、Ｘ２回線の平均通信品質等の他の通信品質であってもよい。
【００７６】
また、基地局装置ｅＮＢが自己に隣接する他の基地局装置ｅＮＢの基地局アーキテクチャ情報１４２を格納する場所として、例えば隣接関係テーブル（Neighbour Relation Table）を使用してもよい。隣接関係テーブルは、ＬＴＥシステムにおいて、基地局装置ｅＮＢが自己に隣接する基地局装置ｅＮＢに関する情報を保持するものである。また、基地局装置ｅＮＢが自己に隣接する他の基地局装置ｅＮＢとの間で確立したＸ２回線の通信品質を表す情報を、隣接関係テーブルに格納してもよい。
【００７７】
また、上述した実施形態では、端末装置ＵＥが自己のサポートするアーキテクチャを示す情報や複数アーキテクチャの同時使用可否情報を基地局装置ｅＮＢへ通知する方法として、端末能力の情報（user equipment capability）の問い合わせの手順を利用したが、他の方法であってもよい。例えば、端末装置ＵＥが、基地局装置ｅＮＢからの問い合わせに応じて送信する「無線通信システムの機能に対する端末装置ＵＥの対応状況を表す情報（Feature group indicator）」に、自己のサポートするアーキテクチャを示す情報または複数アーキテクチャの同時使用可否情報を含めて基地局装置ｅＮＢへ送信してもよい。
【００７８】
また、上述した実施形態では、無線通信システムの一例としてＬＴＥシステムを挙げたが、ＬＴＥシステム以外の他の無線通信システムにも同様に適用可能である。例えば、上述した実施形態では、アーキテクチャ３ＣがＸ２回線を使用しているが、他のアーキテクチャとして他の回線を使用するものであってもよい。
【００７９】
また、上述した実施形態に係る基地局装置ｅＮＢ又は端末装置ＵＥの機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００８０】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００８１】
１１，２１…無線通信部、１２…通信部、１３，２２…制御部、１４，２３…記憶部、１４１…サポートアーキテクチャ情報、１４２…基地局アーキテクチャ情報、１４３…端末アーキテクチャ情報、２４…入力部、２５…出力部、２３１…サポートアーキテクチャ情報、ｅＮＢ…基地局装置、Ｓ−ＧＷ…通信装置、ＵＥ…端末装置
【図１】
2018033186.tif 000003
【図２】
2018033186.tif 000004
【図３】
2018033186.tif 000005
【図４】
2018033186.tif 000006
【図５】
2018033186.tif 000007
【図６】
2018033186.tif 000008
【図７】
2018033186.tif 000009
【図８】
2018033186.tif 000010
【図９】
2018033186.tif 000011
【図１０】
2018033186.tif 000012
【図１１】
2018033186.tif 000013
【図１２】
2018033186.tif 000014
【図１３】
2018033186.tif 000015